(57)【要約】      （修正有）【課題】被加熱物の大きさや把手などの形状によらず操作部の操作を容易にすること。【解決手段】操作部3は少なくとも１方向以上に移動し、操作部3が移動可能な少なくとも２カ所以上の位置において操作部3の操作が可能なよう構成し、被加熱物が鍋5のように通常の大きさであれば操作部3を移動せずに操作し、被加熱物が焼き物プレート6のように操作部3の操作に支障を来すような大きさや形状であれば被加熱物に干渉しない位置に操作部3を移動させて操作する。【選択図】  図１
2004362797.tif 000002
【特許請求の範囲】
【請求項１】
被加熱物を加熱する加熱手段と、使用者からの入力により機器の操作をする操作部を備え、前記操作部は少なくとも１方向に移動する構成とし、移動可能な少なくとも２カ所の位置において前記操作部の操作が可能なよう構成した加熱調理器。
【請求項２】
操作部の位置を検知する位置検知手段を備え、前記位置検知手段により検知した前記操作部の位置により調理コースを自動的に切り替えるよう構成した請求項１に記載の加熱調理器。
【請求項３】
調理コースを自動的に切り替える際、使用者に調理コースを切り替えることを報知する報知手段を備えた請求項２に記載の加熱調理器。
【請求項４】
操作部の位置を検知する位置検知手段を備え、前記操作部は前記位置検知手段により検知した前記操作部の位置に応じて一部の調理コースの選択を制限するよう構成した請求項１に記載の加熱調理器。
【請求項５】
操作部の位置を検知する位置検知手段を備え、調理コースの設定に応じて操作部を所定の位置へ移動することを制限するよう構成した請求項１に記載の加熱調理器。
【請求項６】
操作部の位置を検知する位置検知手段を備え、操作部を所定の位置へ移動すると加熱手段の加熱パターンを変更するよう構成した請求項１に記載の加熱調理器。
【請求項７】
操作部の位置を検知する位置検知手段を備え、前記位置検知手段により検知した前記操作部の位置に応じて使用する加熱手段を選択するよう構成した請求項１に記載の加熱調理器。
【発明の詳細な説明】
【０００１】
【発明の属する技術分野】
本発明は、加熱調理器に関するものである。
【０００２】
【従来の技術】
従来の加熱調理器は、操作部が固定されているか、または、加熱調理器未使用時、あるいは火力などの設定変更をしないで使用する場合に、本体の前面に操作部を収納できるようにしているものもある（例えば、特許文献１参照）。
【０００３】
【特許文献１】
特開平６−３４７０４６号公報（第３−５頁、第１図）
【０００４】
【発明が解決しようとする課題】
しかしながら、このような従来の構成では、操作部を収納している状態では加熱調理器の操作が出来ず、操作するために操作部を引き出しても大きな被加熱物や長い把手のある被加熱物を加熱する際には被加熱物の一部が操作部の上方に重なることがあり操作しにくいことがあるという問題があった。
【０００５】
また、加熱調理器を使用するときには必ず操作部を引き出さなければならず、操作が煩わしくなるという問題もあった。
【０００６】
本発明は、上記従来の課題を解決するもので、被加熱物の大きさや形状に関わらず操作部を操作しやすくすることを目的としている。
【０００７】
【課題を解決するための手段】
この課題を解決するために本発明は、被加熱物が通常の大きさの鍋などであれば操作部を移動せずに操作し、被加熱物が操作部の操作に支障を来すような大きさや形状であれば被加熱物に干渉しない位置に操作部を移動させて操作するよう構成したものである。
【０００８】
これにより、被加熱物の大きさや形状に関わらず操作部を操作しやすくすることができる。
【０００９】
【発明の実施の形態】
本発明の請求項１に記載の発明は、被加熱物を加熱する少なくとも１つ以上の加熱手段と、使用者からの入力により機器の操作をする操作部を備え、前記操作部は少なくとも１方向以上に移動する構成とし、移動可能な少なくとも２カ所以上の位置において前記操作部の操作が可能なよう構成したものであり、被加熱物の大きさや把手などの形状により操作部の操作に支障がある場合には操作部の位置を移動させることができて、被加熱物の大きさや形状によらず操作部の操作を容易にすることができる。
【００１０】
請求項２に記載の発明は、操作部の位置を検知する位置検知手段を設け、前記位置検知手段により検知した前記操作部の位置により調理コースを自動的に切り替えるよう構成したものであり、例えば、操作部を被加熱物から遠ざける方向に移動したときは被加熱物が焼き物用プレートなど大型のものであると判断して大きな被加熱物を使用する調理コースに自動設定できて、調理コース選択の操作を簡略化することができて、使用者の調理コース選択ミスを防ぐことができる。
【００１１】
請求項３に記載の発明は、調理コースを自動的に切り替える際、使用者に調理コースを切り替えることを報知する報知手段を備えたものであり、例えば、使用者が調理コースの切り替えを意図せずに操作部を被加熱物から遠ざける方向に移動すると報知手段の報知により使用者に調理コースが自動的に切り替わったことを知らしめることができて、使用者の意図していない調理コースとなったときには操作部の位置を元に戻すか、または、操作部から操作して調理コースを変更するよう使用者に注意を促すことができる。
【００１２】
請求項４に記載の発明は、操作部の位置を検知する位置検知手段を設け、前記操作部は前記位置検知手段により検知した前記操作部の位置に応じて一部の調理コースの選択を制限するよう構成したものであり、例えば、焼き物用のプレートのような大きな被加熱物を使用すると操作部が被加熱物に近接するような位置にある場合は、大きな被加熱物を使用する調理コースの選択や開始を制限することで操作部周辺が被加熱物の輻射熱で熱せられることによる操作部の温度上昇および操作部を構成する電子部品の故障を防ぐことができる。
【００１３】
請求項５に記載の発明は、操作部の位置を検知する位置検知手段を設け、調理コースの設定に応じて操作部を所定の位置へ移動することを制限するよう構成したものであり、例えば、焼き物用のプレートなど大きな被加熱物を使用する調理コースの選択をしているときには操作部が被加熱物に近接する位置への移動を制限することで操作部周辺が被加熱物の輻射熱で熱せられることによる操作部の温度上昇および操作部を構成する電子部品の故障を防ぐことができる。
【００１４】
請求項６に記載の発明は、操作部の位置を検知する位置検知手段を設け、操作部を所定の位置へ移動すると加熱手段の加熱パターンを変更するよう構成したものであり、例えば、焼き物用のプレートなど大きな被加熱物を使用する調理をしているときに操作部が被加熱物に近接する位置への移動を検知すると出力を低下または停止するように加熱パターンを変更することにより、操作部周辺が被加熱物の輻射熱で熱せられることによる操作部の温度上昇および操作部を構成する電子部品の故障を防ぐことができる。
【００１５】
請求項７に記載の発明は、操作部の位置を検知する位置検知手段を設け、前記位置検知手段により検知した前記操作部の位置に応じて使用する加熱手段を選択するよう構成したものであり、例えば、同心円上に内側と外側の二つの加熱手段を備えた場合、操作部を加熱手段に近づける方向に移動したときは小型の被加熱物を使用していると判断して自動的に内側の加熱手段にてのみ加熱することで小型の被加熱物を効率よく加熱でき、操作部を加熱手段から遠ざける方向に移動したときは大きな被加熱物を使用していると判断して自動的に外側の加熱手段にて加熱することで大きな被加熱物を均一に加熱することができる。
【００１６】
【実施例】
以下、本発明の実施例について、図面を参照しながら説明する。
【００１７】
（実施例１）
図１（ａ）および図１（ｂ）は電磁誘導加熱調理器の一例であり、被加熱物を載置するトッププレート２をボディー４の上部に水平に配置し、加熱手段１はトッププレート２の下部に水平に配置している。操作部３は使用者の操作により加熱手段１の調理コースを設定したり加熱動作を開始または停止したりするもので、使用者が操作しやすいようボディー４の手前側に略水平に配置しており、そのままでも操作可能であるが、手動により操作可能なままさらに手前方向にも移動可能な構成としている。なお、手前方向に移動可能な操作部３の位置について、トッププレート２に近い側を内側と表現し、トッププレート２から遠い側を外側と表現することとする。
【００１８】
以上のように構成された加熱調理器について、その動作を説明する。図１（ａ）において操作部３は手前方向に移動可能であるが、普段は見た目にも好ましく邪魔にもならないよう、ボディー４からはみ出ない内側の位置にセットされていることが多い。また、小型鍋５はトッププレート２上に投影外形全体が収まる大きさの鍋である。使用者はトッププレート２中央部に小型鍋５を載置し、加熱するために操作部３を操作する。操作部３は小型鍋５の投影外形と干渉していないのでボディー４からはみ出ない内側の位置のままで操作可能である。
【００１９】
ところが、図１（ｂ）において大型の焼き物プレート６を加熱するためにトッププレート２上に載置すると、操作部３がボディー４からはみ出ない内側の位置にセットした状態では投影形状が操作部３に干渉し、使用者は操作部３の操作がしにくく、場合によっては大型の焼き物プレート６に触れて熱い思いをする可能性もある。そこで、大型の焼き物プレート６を加熱するときは操作部３を外側方向に移動させると大型の焼き物プレート６の投影形状が操作部３に干渉せず操作がしやすい。
【００２０】
本実施例を別の観点から見ると、従来は大型のの被加熱物の使用を想定したときには、あらかじめボディー４形状を大型にして操作部３との干渉が発生しないようにしていたため大型の被加熱物を使用するとき以外は収納性や設置性などに問題があったが、本発明によれば大型の被加熱物の使用を想定していても操作部３を移動可能とすることでボディー４の形状は小型化することができ、小型の被加熱物を頻繁に使用するときの使用性や設置性、収納性を犠牲にしないですむ。
【００２１】
また、図２において操作部３は使用者が操作しやすいようボディー４の手前側に略水平に配置しており、そのままでも操作可能であるが、手動により操作可能なまま左右方向にも移動可能な構成としている。把手付き鍋７は鍋本体はトッププレート２上に収まる投影外形であるが把手付き鍋７には把手８が付属しており、使用者は把手８を手前側とする位置で調理するのが普通であるが、操作部３を手前中央の位置にセットしていると把手８の投影形状が操作部３と干渉し、使用者は操作部３の操作がしにくい。そこで、把手付き鍋７を加熱するときは操作部３を右方向または左方向に移動させると把手８の投影外形が操作部３に干渉せず操作がしやすい。
【００２２】
また、卓上で使用する場合などには、ボディー４から電源コードの引き出し口が出ている方向と家庭の電源コンセントとの位置関係によってはボディー４を卓上に置く向きや位置が制限され、場合によっては図らずも操作部３が操作に不適な位置となることがあったが、操作部３を操作可能な状態で移動することで操作部３を操作に適切な位置にセットすることもできる。
【００２３】
また、卓上の使用では、複数の人が操作する場合があるが、操作する人が変わっても操作しやすい位置に操作部３を移動することもできる。
【００２４】
また、２口以上のコンロに本発明を適用して、例えば右バーナーの手前と左バーナーの手前の間を操作可能なまま移動できるようにすると、把手付きの鍋を右バーナーにて使用するときは把手と操作部が干渉しないように左バーナーの手前に操作部３を移動して把手と干渉せずに操作することができる。もちろんその逆も可能である。
【００２５】
また、大型の焼き物プレート６をトッププレート２に載置したことを検知する機構を有すれば、大型の焼き物プレート６を使用するときは自動的に操作部３を外側に移動する構成とすることもできる。その場合、焼き物プレート６の検知機構としては、焼き物プレート６の一部に永久磁石を設置してトッププレート２に載置したときの永久磁石の有無を磁気センサなどで検知したり、または、焼き物プレートを使用したときのみマイクロスイッチや赤外線などのセンサで検知できるように構成すればよく、また操作部３を自動的に外側に移動する機構としては、モータやソレノイドなどで駆動したり、焼き物プレート６をトッププレート２に載置したときのみレバーを押下して機構的連結により操作部３を外側へ移動させるよう構成すればよい。
【００２６】
これにより、被加熱物の大きさや形状によらず操作部３の操作を容易にしたり操作時に大型の被加熱物に触れて熱い思いをしないようにすることができる。
【００２７】
また、大型の被加熱物の使用を想定していても本体の形状を小型化することができる。
【００２８】
また、電源コードの位置による本体の設置位置や向きによらず、操作に適切な位置で操作することができる。
【００２９】
また、複数の人が操作部を操作する場面でも、操作する各々の人に適切な位置で操作することができる。
【００３０】
（実施例２）
図１に示す操作部３は、操作部３の位置を検知する機構を有し、操作部３の位置によっては選択している調理コースを自動的に変更するよう構成している。また、操作部３は調理コースを自動的に変更することを使用者に報知するブザーなどの報知手段も有している。他の構成は上記実施例１と同じである。
【００３１】
上記構成において図３を参照しながら動作を説明する。ステップ２１では操作部３の位置が内側から外側に移動したと検知すると大型の焼き物プレート６が使用されると想定してステップ２２に移行し調理コースを焼き物プレート６専用の焼き物コースに自動的に変更し、ステップ２３では使用者に調理コースを自動的に変更したことを知らせる目的でブザーやランプなどにより報知を行いステップ２４に移行する。
【００３２】
ステップ２４では操作部３の位置が外側から内側に移動したと検知すると大型の焼き物プレート６が使用されることはないと想定してステップ２５に移行し調理コースが現在大型の焼き物プレート６専用の焼き物コースであるならばステップ２６にて調理コースを汎用的に使用する加熱コースに自動的に変更し、ステップ２７にて報知を行った後ステップ２８に移行する。
【００３３】
ステップ２８では操作部３の操作により調理コースの設定を変更するような入力があればステップ２９に移行して調理コースの変更を行いステップ３０に移行する。ステップ３０では操作部３の操作により調理開始の入力があればステップ３１に移行して調理を開始し、調理開始の入力が無ければステップ２１に移行して上記動作を繰り返す。
【００３４】
この動作により、操作部３を被加熱物から遠ざける方向に移動したときは被加熱物が大型の焼き物用プレート６など大型のものであると判断して大きな被加熱物を使用する調理コースに自動設定できて、調理コース選択の操作を簡略化することができて、使用者の調理コース選択ミスを防ぐことができる。
【００３５】
また、使用者が調理コースの切り替えを意図せずに操作部３を被加熱物から遠ざける方向に移動すると報知により使用者に調理コースが自動的に切り替わったことを知らしめることができて、使用者の意図していない調理コースとなったときには操作部３の位置を元に戻すか、または、操作部３から操作して調理コースを変更するよう使用者に注意を促すことができる。
【００３６】
なお、操作部３を外側から内側に移動したときに加熱コースに自動的に変更したが、特定の調理コースではなく、焼き物コースに変更する以前に設定していた調理コースに変更するものとしてもよい。
【００３７】
また、上記実施例において、操作部３の位置を検知する機構としてはマイクロスイッチを用いたものや、永久磁石と磁気センサを用いたもの、操作部３とボディー４の双方に電極を設けて接点とするなど様々な手法が考えられ、検知位置数も１カ所のみならず複数の検知位置を設けてもよい。
【００３８】
（実施例３）
図１に示す操作部３は、操作部３の位置を検知する機構を有し、操作部３の位置が内側にあるときは大型の焼き物プレート６を使用する焼き物コースの選択を禁止するよう構成している。他の構成は上記実施例１と同じである。
【００３９】
上記構成において図４を参照しながら動作を説明する。ステップ４１では操作部３の位置が内側であると検知すると大型の焼き物プレート６は使用されないと想定してステップ４２に移行し、ステップ４２では現在の調理コース設定が焼き物プレート６を使用する焼き物コースであるならステップ４３に移行し調理コースを焼き物プレート６を使用しない汎用の加熱コースに自動的に変更し、ステップ４４に移行する。
【００４０】
ステップ４４では操作部３の操作により調理コースの設定を変更するような入力があればステップ４５に移行し、ステップ４５では操作部３にて変更しようとしている調理コースが焼き物コースではないのであればステップ４６に移行して調理コースの変更を行うが、操作部３にて変更しようとしている調理コースが焼き物コースであるならばステップ４７に移行して調理コース変更の非受付報知を行った後ステップ４８に移行する。ステップ４８では操作部３の操作により調理開始の入力があればステップ４９に移行して調理を開始し、調理開始の入力が無ければステップ４１に移行して上記動作を繰り返す。
【００４１】
これにより、焼き物プレート６のような大きな被加熱物を使用すると操作部が被加熱物に近接するような位置にある場合は、大きな被加熱物を使用する調理コースの選択や開始を制限することで、使用者が操作部３の操作を行うときに大型の非加熱物に手を触れて熱い思いをすることを防ぐことができ、操作部周辺が被加熱物の輻射熱で熱せられることによる操作部の温度上昇および操作部を構成する電子部品の故障を防ぐことができる。
【００４２】
なお、ステップ４５にて変更しようとする調理コースが焼き物コースであったときはステップ４７にて非受付報知を行ったが、受付を行ったうえで注意喚起のための報知を行うようにしてもよいし、大型の焼き物プレート６を使用しない異なる調理コースに自動的に変更するようにしてもよい。
【００４３】
（実施例４）
図１に示す操作部３は、操作部３の位置を検知する機構を有し、操作部３の位置が外側にありかつ調理コースを大型の焼き物プレート６を使用する焼き物コースなどに設定しているときは操作部３の内側への移動を禁止するよう構成している。他の構成は上記実施例１と同じである。
【００４４】
上記構成において図５を参照しながら動作を説明する。ステップ６１では操作部３の位置が内側ではないと検知すると大型の焼き物プレート６が使用されると想定してステップ６２に移行し、ステップ６２では現在の調理コース設定が焼き物プレート６を使用する焼き物コースであるならステップ６３に移行し操作部３に対して内側への移動を禁止するように移動ロックを行い、ステップ６５に移行するが、現在の調理コース設定が焼き物プレートを使用する焼き物コースでないならステップ６４に移行して移動ロックの解除を行いステップ６５に移行する。ステップ６５では操作部３の操作により調理開始の入力があればステップ６６に移行して調理を開始し、調理開始の入力が無ければステップ６１に移行して上記動作を繰り返す。
【００４５】
これにより、焼き物プレート６など大きな被加熱物を使用する調理コースの選択をしているときには操作部が被加熱物に近接する位置への移動を制限することで使用者が操作部３の操作を行うときに大型の非加熱物に手を触れて熱い思いをすることを防ぐことができ、操作部周辺が被加熱物の輻射熱で熱せられることによる操作部の温度上昇および操作部を構成する電子部品の故障を防ぐことができる。
【００４６】
なお、ステップ６３における操作部３の移動ロックは、モータやソレノイド等でストッパーを駆動するものや操作部３の調理コース選択スイッチに機構的に連結したストッパーを設ける方法の他に、操作部３を内側に移動させようとするとブザーなどの報知手段により使用者に注意喚起を行ったり、操作部３の移動用のつまみを隠すなどの消極的な方法でもよい。
【００４７】
（実施例５）
図１に示す操作部３は、操作部３の位置を検知する機構を有し、操作部３の位置が外側にありかつ調理コースを大型の焼き物プレート６を使用する焼き物コースなどに設定しているときは加熱手段１の加熱パターンを変更して加熱出力の上限値を低下させるよう構成している。他の構成は上記実施例１と同じである。
【００４８】
上記構成において図６を参照しながら動作を説明する。ステップ７１では操作部３の位置が内側ではないと検知すると大型の焼き物プレート６が使用されると想定してステップ７２に移行し、ステップ７２では現在の調理コース設定が焼き物プレート６を使用する焼き物コースであるならステップ７３に移行し加熱手段１の加熱出力の上限値を１０００Ｗから５００Ｗに低下させ、ステップ７５に移行するが、現在の調理コース設定が焼き物プレートを使用する焼き物コースでないならステップ７４に移行して加熱手段１の加熱出力の上限値を通常の１０００Ｗとしてステップ７５に移行する。ステップ７５では操作部３の操作により調理開始の入力があればステップ７６に移行して調理を開始し、調理開始の入力が無ければステップ７１に移行して上記動作を繰り返す。
【００４９】
これにより、焼き物用のプレートなど大きな被加熱物を使用する調理をしているときに操作部が被加熱物に近接する位置への移動を検知すると出力を低下するように加熱パターンを変更することにより、操作部周辺が被加熱物の輻射熱で熱せられることによる操作部の温度上昇および操作部を構成する電子部品の故障を防ぐことができる。
【００５０】
なお、ステップ７３における加熱手段１の加熱パターンの変更内容としては、出力上限値の変更以外に、加熱停止とするものでもよく、連続加熱時間の制限を設けたり、加熱デューティー比を変更したりするものでもよいし、被加熱物の温度を検知して温度による加熱制御をしているときは制御温度を変更して被加熱物の温度を一定以下に保つようにしてもよい。
【００５１】
（実施例６）
図７（ａ）および図７（ｂ）において、内加熱手段８１はトッププレート２の中央下部に水平に配置し、内加熱手段８１の同心円上外側に外加熱手段８２を配置している。操作部３は、操作部３の位置を検知する機構を有し、操作部３の位置によって内加熱手段８１と外加熱手段８２から駆動する加熱手段を選択するよう構成している。他の構成は上記実施例１と同じである。
【００５２】
上記構成においてその動作を説明する。操作部３は手前方向に移動可能であり、トッププレート２上に投影外形全体が収まる大きさの小型鍋５を加熱するとき使用者はトッププレート２中央部に小型鍋５を載置し、加熱するために操作部３を操作する。操作部３は小型鍋５の投影外形と干渉していないのでボディー４からはみ出ない内側の位置のままで操作可能であり、操作部３の位置が内側のときは内加熱手段８１のみを駆動して小型鍋５を加熱する。
【００５３】
一方、大型の焼き物プレート６を加熱するためにトッププレート２上に載置すると、操作部３がボディー４からはみ出ない内側の位置にセットした状態では投影形状が操作部３に干渉し、使用者は操作部３の操作がしにくいため、操作部３を外側方向に移動させて使用する。操作部３の位置が外側のときは外加熱手段８２のみを駆動して焼き物プレート６を加熱する。
【００５４】
これにより、同心円上に内加熱手段８１と外加熱手段８２の二つを備えた場合、操作部を内側に移動したときは小型の被加熱物を使用していると判断して自動的に内加熱手段８１にてのみ加熱することで小型の被加熱物を効率よく加熱でき、操作部を外側に移動したときは大きな被加熱物を使用していると判断して自動的に外加熱手段８２にて加熱することで大きな被加熱物を均一に加熱することができる。
【００５５】
なお、本実施例では操作部３を内側に移動した場合内加熱手段８１のみを駆動し、操作部３を外側に移動した場合外加熱手段８２のみを駆動するとしたが、操作部３を外側に移動したときは内加熱手段８１と外加熱手段８２を共に駆動してもよく、内加熱手段８１と外加熱手段８２の通電率を適切に変更するものとしてもよい。
【００５６】
また、操作部３の検知位置を３箇所以上として３つ以上の加熱手段を制御してもよく、または３箇所以上の操作部３の検知位置に対応して２つ以上の加熱手段の通電率を調節するよう構成してもよい。
【００５７】
【発明の効果】
以上のように本発明の請求項１に記載の発明によれば、被加熱物を加熱する少なくとも１つ以上の加熱手段と、使用者からの入力により機器の操作をする操作部を備え、前記操作部は少なくとも１方向以上に移動する構成とし、移動可能な少なくとも２カ所以上の位置において前記操作部の操作が可能なよう構成したから、被加熱物の大きさや把手などの形状により操作部の操作に支障がある場合には操作部の位置を移動させることができて、被加熱物の大きさや形状によらず操作部の操作を容易にすることができる。
【００５８】
また、操作部の位置を検知する位置検知手段を設け、前記位置検知手段により検知した前記操作部の位置により調理コースを自動的に切り替えるよう構成したから、例えば、操作部を被加熱物から遠ざける方向に移動したときは被加熱物が焼き物用プレートなど大型のものであると判断して大きな被加熱物を使用する調理コースに自動設定できて、調理コース選択の操作を簡略化することができて、使用者の調理コース選択ミスを防ぐことができる。
【図面の簡単な説明】
【図１】（ａ）本発明の第１の実施例の加熱調理器の小型鍋を使用した場合の外観上面図
（ｂ）同加熱調理器の大型プレートを使用した場合の外観上面図
【図２】本発明の第１の実施例の加熱調理器の把手付き鍋を使用した場合の外観上面図
【図３】本発明の第２の実施例の加熱調理器の操作部入力時のフローチャート
【図４】本発明の第３の実施例の加熱調理器の操作部入力時のフローチャート
【図５】本発明の第４の実施例の加熱調理器の操作部入力時のフローチャート
【図６】本発明の第５の実施例の加熱調理器の操作部入力時のフローチャート
【図７】（ａ）本発明の第６の実施例の加熱調理器の小型鍋を使用した場合の外観上面図
（ｂ）同加熱調理器の大型プレートを使用した場合の外観上面図
【符号の説明】
１  加熱手段
２  トッププレート
３  操作部
４  ボディー
【図１】
2004362797.tif 000003
【図２】
2004362797.tif 000004
【図３】
2004362797.tif 000005
【図４】
2004362797.tif 000006
【図５】
2004362797.tif 000007
【図６】
2004362797.tif 000008
【図７】
2004362797.tif 000009